(57)【要約】【課題】記録媒体装着時におけるインタフェース周辺の温度上昇を軽減し、電子機器内部の誤動作等を抑止し得る電子機器を提供する。【解決手段】種類が異なる複数の記録媒体を装着可能なインタフェース２０ａ，２０ｂと、前記インタフェース周辺の温度を検出する検出部２４と、前記インタフェースに装着された前記記録媒体の媒体情報を取得する取得部２６と、前記検出部により検出された温度が所定温度以上である場合に、前記取得部により取得された前記媒体情報に基づいて、前記インタフェースに装着された一の前記記録媒体より熱に関する熱条件が良い他の前記記録媒体を判別する媒体判別部２６と、前記媒体判別部により前記熱に関する熱条件が良いと判別された前記他の記録媒体に対してアクセスを行い、前記前記熱条件が良いと判別されなかった前記他の記録媒体と当該一の記録媒体に対してアクセスの制限を行うよう制御するアクセス制御部２６とを備える。【選択図】図１
2010146057.tif 000002
【特許請求の範囲】
【請求項１】
種類が異なる複数の記録媒体を装着可能なインタフェースと、
前記インタフェース周辺の温度を検出する検出部と、
前記インタフェースに装着された前記記録媒体の媒体情報を取得する取得部と、
前記検出部により検出された温度が所定温度以上である場合に、前記取得部により取得された前記媒体情報に基づいて、前記インタフェースに装着された一の前記記録媒体より熱に関する熱条件が良い他の前記記録媒体を判別する媒体判別部と、
前記媒体判別部により前記熱に関する熱条件が良いと判別された前記他の記録媒体に対してアクセスを行い、前記熱条件が良いと判別されなかった前記他の記録媒体と当該一の記録媒体に対してアクセスの制限を行うよう制御するアクセス制御部と
を備えることを特徴とする電子機器。
【請求項２】
前記アクセスの制限は、前記記録媒体に対するデータの書き込み動作を禁止すること、又はデータの読み出し及び書き込み動作を禁止することを特徴とする請求項１記載の電子機器。
【請求項３】
前記媒体情報は、前記記録媒体の動作温度を示す温度情報を含み、
前記所定温度は、前記記録媒体毎の前記温度情報に基づいて、前記記録媒体毎に定められた第１閾値であり、
前記媒体判別部は、前記検出部により検出された温度が、前記取得部により取得された前記一の記録媒体の前記温度情報に基づく第１閾値以上であり、且つ、前記取得部により取得された前記他の記録媒体の前記温度情報に基づく前記第１閾値以下である場合には、当該他の記録媒体を当該一の記録媒体より前記熱条件が良い記録媒体として判別することを特徴とする請求項２記載の電子機器。
【請求項４】
前記アクセス制御部は、前記検出部により検出された温度が、前記取得部により取得された前記一の記録媒体の前記温度情報に基づく前記第１閾値以上であって、前記第１閾値より高い、前記一の記録媒体の前記温度情報に基づく第２閾値以上である場合には、当該一の記録媒体に対するデータの読み出し及び書き込み動作を禁止し、前記第１閾値以上であって第２閾値以下であるときには、当該一の記録媒体に対するデータの書き込み動作を禁止するよう制御することを特徴とする請求項３記載の電子機器。
【請求項５】
前記インタフェースに装着可能な前記記録媒体の種類毎の表面積に関する表面積情報を含む規格情報を記憶する記憶部を備え、
前記媒体情報は、前記記録媒体の種類を示す種類情報を含み、
前記媒体判別部は、前記取得部により取得された前記記録媒体の種類情報と対応する、前記記憶部に記憶されている前記表面積情報に基づいて、前記一の記録媒体より表面積が大きい他の前記記録媒体を前記熱条件が良い記録媒体として判別することを特徴とする請求項１又は２に記載の電子機器。
【請求項６】
前記規格情報は、前記記録媒体の消費電力に関する消費電力情報を含み、
前記媒体判別部は、前記取得部により取得された前記記録媒体の種類情報と対応する、前記記憶部に記憶されている前記消費電力情報に基づいて、前記一の記録媒体より消費電力が小さい他の前記記録媒体を前記熱条件が良い記録媒体として判別することを特徴とする請求項５記載の電子機器。
【請求項７】
前記規格情報は、前記記録媒体の材質に関する材質情報を含み、
前記媒体判別部は、前記取得部により取得された前記記録媒体の種類情報と対応する、前記記憶部に記憶されている前記材質情報に基づいて、前記一の記録媒体より放熱性が高い他の前記記録媒体を前記熱条件が良い記録媒体として判別することを特徴とする請求項５又は６記載の電子機器。
【発明の詳細な説明】
【技術分野】
【０００１】
本発明は、種類が異なる複数の記録媒体に対してデータの読み出し及び書き込みを行う電子機器に関するものである。
【背景技術】
【０００２】
従来、カメラ内の温度を検出し、検出した温度が危険温度以上であり、消費電力の高い動作を処理中の場合には、その消費電力の高い処理から消費電力の低い処理に自動的に切替えるカメラの技術が存在する(特許文献１参照)。
【特許文献１】特開２００７−２８４２５号公報
【発明の開示】
【発明が解決しようとする課題】
【０００３】
ところで、カメラ等の電子機器には、フラッシュカードやＳＤメモリーカード等の種類が異なる複数の記録媒体をインタフェースを介して装着することができ、これらの記録媒体の記録速度は高速化傾向にある。しかしながら、記録速度の高速化に伴って消費電力も増加するため、記録媒体の温度が上昇し、その温度上昇により電子機器内部に誤動作等の悪影響を与えるという問題がある。
【０００４】
本発明の目的は、記録媒体装着時におけるインタフェース周辺の温度上昇を軽減し、電子機器内部の誤動作等を抑止し得る電子機器を提供することである。
【課題を解決するための手段】
【０００５】
本発明の電子機器は、種類が異なる複数の記録媒体を装着可能なインタフェースと、前記インタフェース周辺の温度を検出する検出部と、前記インタフェースに装着された前記記録媒体の媒体情報を取得する取得部と、前記検出部により検出された温度が所定温度以上である場合に、前記取得部により取得された前記媒体情報に基づいて、前記インタフェースに装着された一の前記記録媒体より熱に関する熱条件が良い他の前記記録媒体を判別する媒体判別部と、前記媒体判別部により前記熱に関する熱条件が良いと判別された前記他の記録媒体に対してアクセスを行い、前記熱条件が良いと判別されなかった前記他の記録媒体と当該一の記録媒体に対してアクセスの制限を行うよう制御するアクセス制御部とを備える。
【発明の効果】
【０００６】
本発明に係る電子機器は、インタフェース周辺の温度が所定温度を超えた場合、熱条件の良い記録媒体以外の記録媒体のアクセスを制限することができるので、インタフェース周辺の温度上昇を軽減し、温度上昇による電子機器内部の誤動作等を抑止することができる。
【発明を実施するための最良の形態】
【０００７】
以下、本発明の実施形態に係るカメラについて説明する。本実施形態に係るカメラは、種類が異なる複数のメモリーカードを装着可能なインタフェースを備えており、カードへのデータ書き込み等によるインタフェース周辺の温度変化を検出し、その周辺温度と各カード固有の動作温度に応じて、各インタフェースの動作モードを設定するものである。なお、本実施形態における動作モードは、データの読み出し及び書き込みを許可する通常モードとアクセス制限モードがあり、アクセス制限モードには、データの書き込みを禁止し、読み出しを許可するライト禁止モードと、データの読み出し及び書き込みを禁止するリード／ライト禁止モードがある。
【０００８】
図１は、本実施形態に係るカメラのシステム構成図である。同図に示す様に、カメラ１は、撮影レンズ２、ＣＣＤ４、ＣＣＤドライバ６、プリプロセス回路８、Ａ／Ｄ変換回路１０、ＡＳＩＣ(Application Specific Integrated Circuit)１２、メモリ１４、カラーモニタ１６、操作部１８、カードＩ／Ｆ２０、カード２２ａ及び２２ｂ、温度センサ２４、及びＣＰＵ２６を備えて構成されている。
【０００９】
ＣＣＤ４は、撮影レンズ２を介した被写体光を撮像して被写体の明るさに応じた電荷を蓄積し、ＣＣＤドライバ６の制御の下、蓄積した電荷のアナログ信号をプリプロセス回路８に出力する。プリプロセス回路８は、ＣＣＤ４から出力されたアナログ信号を増幅し、雑音除去や黒レベル調整等の所定のアナログ処理を行い、Ａ／Ｄ変換回路１０は、プリプロセス回路８でアナログ処理されたアナログ信号をデジタル信号に変換する。また、ＡＳＩＣ１２は、Ａ／Ｄ変換回路１０によって変換されたデジタル信号に対して輪郭補償やガンマ補正等の所定の画像処理を行い、画像処理後の画像データをＪＰＥＧ等の方式で圧縮して画像ファイルを生成する。
【００１０】
メモリ１４は、ＤＲＡＭ(Dynamic Random Access Memory)で構成され、ＣＰＵ２６がプログラムを実行する際に用いられるワーク用メモリであり、画像処理後の画像データ等を一時的に記憶する。カラーモニタ１６は、液晶ディスプレイで構成され、撮影画像やメニュー画像等を表示する。操作部１８は、電源スイッチ、レリーズボタン等の操作ボタンを含んで構成されており、ユーザ操作を受付ける。カードＩ／Ｆ２０は、着脱可能なメモリーカードの接続インタフェースであるカードＡＩ／Ｆ２０ａとカードＢＩ／Ｆ２０ｂで構成されており、カードＡＩ／Ｆ２０ａとカードＢＩ／Ｆ２０ｂは、各々に装着されたメモリーカードとカメラ１との間でリード／ライトコマンドやデータ等の送受信を中継する。なお、各インタフェースは、例えば、カードＡＩ／Ｆ２０ａがフラッシュメモリカード用、カードＢＩ／Ｆ２０ｂがＳＤメモリーカード用などであり、装着可能なメモリーカードの種類が異なる。
【００１１】
カードＡ２２ａは、カードＡＩ／Ｆ２０ａに対応したメモリーカードであり、カードＢ２２ｂは、カードＢＩ／Ｆ２０ｂに対応したメモリーカードであり、各メモリーカードは、画像データやカード情報等のデータを記憶する。なお、カード情報には、メモリーカードの動作温度等を含むカード特性情報、カードを識別する識別情報などが含まれる。また、各メモリーカードは、装着されている各インタフェースを介してカメラ１から送出されるコマンドに応じたアクセスを行う。
【００１２】
温度センサ２４は、カードＩ／Ｆ２０の温度を一定時間間隔で検出し、検出した温度の情報をＣＰＵ２６に送出する。ＣＰＵ２６は、図示しないＲＯＭに格納されたプログラムを実行することによりカメラ１を構成する各部を制御する。
【００１３】
なお、本実施形態において、カードＡ２２ａ及びカードＢ２２ｂの各動作温度の上限をＴａ、Ｔｂ(Ｔａ＜Ｔｂ)とし、カードＡ２２ａの動作温度に基づく第１閾値及び第２閾値をｔａ１，ｔａ２(ｔａ１＜ｔａ２≦Ｔａ)、カードＢ２２ｂの動作温度に基づく第１閾値及び第２閾値をｔｂ１，ｔｂ２(ｔｂ１＜ｔｂ２≦Ｔｂ)とする。また、本実施形態における熱条件は、メモリーカードの動作温度に関する条件であり、上記よりカードＡ２２ａよりカードＢ２２ｂの方が動作温度の上限温度が高いため、カードＢ２２ｂの方が耐熱性に優れており熱条件が良いものとする。
【００１４】
以下、図２〜図４を用いて本実施形態に係るカメラ１の動作を説明する。図２は、本実施形態に係るカメラ１の動作モード設定処理前の通常動作を示す動作フロー図である。なお、以下の説明では、カメラ１は電源がＯＮの状態に設定されており、画像データの記録先インタフェース(以下、記録先Ｉ／Ｆ)としてカードＡＩ／Ｆ２０ａが予め設定されており、カードＡＩ／Ｆ２２ａが記録先カードとして設定されているものとする。また、各インタフェースは通常モードに設定されており、カードＡ２２ａ及びカードｂ２２ｂのいずれも各インタフェースに装着されるものとして説明する。
【００１５】
ＣＰＵ２６は、カードＡＩ／Ｆ２０ａ及びカードＢＩ／Ｆ２０ｂの各々に、カードＡ２２ａ及びカード２２ｂが装着された場合(ステップＳ１０：Ｙ)、カードＡＩ／Ｆ２０ａ及びカードＢＩ／Ｆ２０ｂを介して、カードＡ２２ａとカードＢ２２ｂから各カード情報を取得する。そして、取得した各カード情報に含まれる各動作温度より所定温度だけ低い第１閾値ｔａ１とｔｂ１、各動作温度よりも低く、且つｔａ１及びｔｂ１の各々より所定温度だけ高い第２閾値ｔａ２(ｔａ２＞ｔａ１)、ｔｂ２(ｔｂ２＞ｔｂ１)をインタフェースと対応づけてメモリ１４に記憶する(ステップＳ１２)。また、ステップＳ１０において、カードが装着されなかった場合には(ステップＳ１０：Ｎ)、ＣＰＵ２６は、電源ＯＮの状態で待機する。
【００１６】
ＣＰＵ２６は、操作部１８のレリーズボタンを押下する操作がユーザによりなされた場合(ステップＳ１４：Ｙ)、ＣＣＤ４は、撮影レンズ２を介して被写体を撮像した撮像信号を、ＣＣＤドライバ６の制御により所定のタイミングで出力し、プリプロセス回路８により所定のアナログ処理がなされた撮像信号をＡ／Ｄ変換回路１０によりＡ／Ｄ変換する。ＣＰＵ２６は、ＡＳＩＣ１２によりＡ／Ｄ変換後の画像データに所定の画像処理がなされた画像データを、カードＡＩ／Ｆ２０ａを介してカードＡ２２ａに記録する(ステップＳ１６)。また、ステップＳ１４において、ＣＰＵ２６は、レリーズボタンを押下する操作がなされなかった場合には(ステップＳ１４：Ｎ)、レリーズボタンが押下されるまで待機する。
【００１７】
ＣＰＵ２６は、温度センサ２４によりカードＩ／Ｆ２０の温度を一定時間間隔で検出し、検出された温度をメモリ１４に記憶する(ステップＳ１８)。ＣＰＵ２６は、カメラ１の電源がオフにされるまで、又は、カードＡＩ／Ｆ２０ａ及びカードＢＩ／Ｆ２０ｂからメモリーカードが取り出されるまで(ステップＳ１９：Ｎ)、上記した図２のステップＳ１４〜１８の各処理を繰り返し行い、カメラ１の電源がオフにされたとき、又は、カードＡＩ／Ｆ２０ａ及びカードＢＩ／Ｆ２０ｂからメモリーカードが取り出されたときに(ステップＳ１９：Ｙ)、処理を終了する。
【００１８】
次に、図３を用いて本実施形態における動作モード設定及び記録先変更処理を説明する。ＣＰＵ２６は、図２のステップＳ１８において温度センサ２４により温度が検出された後、検出された温度“Ｔ”をメモリ１４から読み出すと共に、カードＡＩ／Ｆ２０ａと対応づけられた第１閾値“ｔａ１”をメモリ１４から読み出す(ステップＳ２０)。
【００１９】
そして、ＣＰＵ２６は、検出温度Ｔがｔａ１以上である場合には(ステップＳ２２：Ｙ)、カードＡＩ／Ｆ２０ａと対応づけられた第２閾値“ｔａ２”をメモリ１４から読み出し(ステップＳ２４)、検出温度Ｔがｔａ２以上である場合には(ステップＳ２６：Ｙ)、カードＡＩ／Ｆ２０ａをリード／ライト禁止モードに設定する(ステップＳ２８)。そして、ＣＰＵ２６は、カードＡＩ／Ｆ２０ａに対するデータの読み出し及び書き込み動作を制限する旨の全アクセス制限情報をカラーモニタ１６に表示する(ステップＳ３０)。
【００２０】
また、ステップＳ２２において、検出温度Ｔがｔａ２以上でない場合には(ステップＳ２６：Ｎ)、ＣＰＵ２６は、カードＡＩ／Ｆ２０ａをライト禁止モードに設定し(ステップＳ３２)、カードＡＩ／Ｆ２０ａに対するデータ書き込み動作を制限する旨の一部アクセス制限情報をカラーモニタ１６に表示する(ステップＳ３４)。
【００２１】
なお、上記の説明では、カードＡＩ／Ｆ２０ａについての動作モード設定処理について説明したが、ステップＳ２０〜Ｓ３４までの処理は、カードＢＩ／Ｆ２０ｂについても同様に行い動作モードが設定されているものとして以下説明する。
【００２２】
続いて、ＣＰＵ２６は、カードＢＩ／Ｆ２０ｂの動作モードが通常モードであるか否か判断する(ステップＳ３６)。ＣＰＵ２６は、カードＢＩ／Ｆ２０ｂの動作モードが通常モードであると判断した場合には(ステップＳ３６：Ｙ)、カードＢＩ／Ｆ２０ｂを新たな記録先Ｉ／Ｆとして設定し(ステップＳ３８)、撮像した画像データをカードＢ２２ｂに記録することを示す記録先変更情報をカラーモニタ１６に表示する(ステップＳ４０)。
【００２３】
また、ステップＳ３６において、ＣＰＵ２６は、カードＢＩ／Ｆ２０ｂの動作モードが通常モードでないと判断した場合、即ち、アクセス制限モードに設定されている場合には(ステップＳ３６：Ｎ)、記録先を変更できずデータを記録することができない旨の記録不能警告情報をカラーモニタ１６に表示する(ステップＳ４２)。
【００２４】
なお、ステップＳ２２において、ＣＰＵ２６は、検出温度Ｔがｔａ１以上でないと判断した場合には(ステップＳ２２：Ｎ)、検出温度Ｔがｔａ１以上になるまで各インタフェースを通常モードで動作させる。
【００２５】
次に、上述した動作モード設定処理により、ライト禁止モード又はリード／ライト禁止モードの何れかのアクセス制限モードに設定された場合における、動作モード復旧処理について説明する。図４は、本実施形態における動作モード復旧処理の動作フロー図である。以下、カードＡＩ／Ｆ２０ａがアクセス制限モードに設定された場合を例に説明するが、カードＢＩ／Ｆ２０ｂもアクセス制限モードに設定されている場合には、カードＡＩ／Ｆ２０ａと同様の処理を行う。
【００２６】
ＣＰＵ２６は、温度センサ２４により一定時間間隔で検出された検出温度Ｔをメモリ１４から読み出すと共に、カードＡＩ／Ｆ２０ａと対応づけられた第１閾値“ｔａ１”をメモリ１４から読み出し、検出温度Ｔがｔａ１より低いか否か判断する(ステップＳ５０)。ＣＰＵ２６は、検出温度Ｔがｔａ１より高いと判断した場合には(ステップＳ５０：Ｎ)、更に、カードＡＩ／Ｆ２０ａと対応づけられた第２閾値“ｔａ２”をメモリ１４から読み出し、検出温度Ｔがｔａ２より低いか否か判断する(ステップＳ５２)。
【００２７】
ＣＰＵ２６は、ステップＳ５２において、検出温度Ｔがｔａ２より低いと判断した場合において(ステップＳ５２：Ｙ)、カードＡＩ／Ｆ２０ａの動作モードがリード／ライト禁止モードに設定されているときは(ステップＳ５４：Ｙ)、カードＡＩ／Ｆ２０ａの動作モードをライト禁止モードに設定変更する(ステップＳ５６)。
【００２８】
また、ステップＳ５２において、ＣＰＵ２６が、検出温度Ｔがｔａ２より高いと判断した場合(ステップＳ５２：Ｎ)、及び、カードＡＩ／Ｆ２０ａの動作モードがライト禁止モードに設定されているときは(ステップＳ５４：Ｎ)、ステップＳ５０以下の処理を繰り返す。
【００２９】
なお、ステップＳ５０において、ＣＰＵ２６が、検出温度Ｔがｔａ１より低いと判断した場合には(ステップＳ５０：Ｙ)、カードＡＩ／Ｆ２０ａがリード／ライト禁止モード、ライト禁止モードの何れの動作モードに設定されていても、カードＡＩ／Ｆ２０ａを通常モードに設定変更する。
【００３０】
上述した実施形態では、カードＩ／Ｆ２０周辺の検出温度と比較する第１閾値及び第２閾値を、各インタフェースに装着された各メモリーカードの動作温度に基づいて定めることができるため、各メモリーカード固有の温度特性を考慮して、インタフェースの動作モードを判定できると共に、記録先カードより熱条件の良いメモリーカードを判別することができる。従って、記録先カードがアクセス制限モードに設定された場合には、熱条件の良いメモリーカードへデータの書き込みを行うよう制御されるため、カードＩ／Ｆ２０周辺の温度上昇を抑止することができる。
【００３１】
また、検出温度と第２閾値に応じて、アクセスを制限するレベルをライト禁止モードとリード／ライト禁止モードの２段階に設定することができるので、ライト禁止モードに設定されたとしても、データを書き込む動作より比較的消費電力が少ないデータの読み出しを行うことができ、メモリーカードに記憶されている画像データなどを再生することができる。
【００３２】
なお、上述した実施形態では、検出温度が記録先カードの第１閾値を超え、記録先カードのインタフェースがアクセス制限モードに設定された場合には、各メモリーカードの動作温度に基づく第１閾値及び第２閾値を用いて、記録先カードより熱条件の良い他のメモリーカードを判別するものとして説明したが、以下の様に判別してもよい。
【００３３】
カメラ１は、インタフェースに装着可能なメモリーカードの種類毎の規格情報を予め記憶しておく。例えば、規格情報には、メモリーカードの種類毎の表面積、電源電圧レベル、材質、動作速度等の情報が含まれる。記録先カードがアクセス制限モードに設定された場合において、各メモリーカードの表面積に基づいて熱条件の良いメモリーカードを判別するとき、ＣＰＵ２６は、各メモリーカードから取得したカード情報に含まれるカード識別情報に対応するメモリーカードの種類の表面積を参照し、記録先カードより表面積が大きい、即ち、放熱性の高いメモリーカードを熱条件の良いメモリーカードとして判別する。
【００３４】
また、各メモリーカードの消費電力に基づいて熱条件の良いメモリーカードを判別する場合、ＣＰＵ２６は、各メモリーカードから取得したカード情報に含まれるカード識別情報に対応するメモリーカードの種類の電源電圧レベルや動作速度の情報を用いて、各メモリーカードの消費電力量を予測し、記録先カードより消費電力量が小さいメモリーカードを熱条件の良いメモリーカードとして判別する。
【００３５】
また、各メモリーカードの材質に基づいて熱条件の良いメモリーカードを判別する場合、ＣＰＵ２６は、各メモリーカードから取得したカード情報に含まれるカード識別情報に対応するメモリーカードの種類の材質情報を参照し、記録先カードの材質より放熱性の高い材質のメモリーカードを熱条件の良いメモリーカードとして判別する。
【００３６】
また、上述した実施形態では、カードＩ／Ｆ２０の周辺温度を温度センサ２４により検出するものとして説明したが、カメラ１がメモリーカード毎の温度を検出する２つの温度センサを備えている場合や、各メモリーカードにおいて温度を検出する機構を備えている場合には、メモリーカード毎に検出された温度とメモリーカード毎の動作温度に基づく閾値とを比較することにより各インタフェースの動作モードを設定するようにしてもよい。
【００３７】
また、上述した実施形態では、各メモリーカードの動作温度に基づいて各々のメモリーカードに対する第１閾値(ｔａ１、ｔｂ１)を設定するものとして説明したが、全てのメモリーカードに共通の第１閾値を予め記憶するようにしてもよい。この場合、第１閾値は全てのメモリーカードに共通しているため、検出温度が第１閾値以下になった場合には、アクセス制限モードに設定された全インタフェースが同時に通常モードに復旧する。そのため、復旧後の新たな記録先Ｉ／Ｆとして、動作温度の上限が最も低いメモリーカードが装着されているインタフェースを設定してもよいし、ユーザによって予め設定されたインタフェースを設定するようにしてもよい。
【００３８】
また、上述した実施形態では、記録先カード及び他のメモリーカードのいずれもアクセス制限モードに設定された場合には、記録不能警告情報を表示し、撮像した画像データの記録を行わないものとして説明したが、いずれかのインタフェースの動作モードが通常モードに復旧されるまで、撮像した画像データを内蔵メモリに記録するようにしてもよい。
【００３９】
また、上述した実施形態では、全インタフェースにメモリーカードが装着されるものとして説明したが、記録するメモリーカードのみが装着されている場合において、当該記録先カードがアクセス制限モードに設定されたときには、他のメモリーカードが装着されていなければ記録先変更不可として記録不能警告情報を表示してもよい。
【００４０】
また、上述した実施形態では、カメラを用いて説明したが、種類が異なる記録媒体を装着可能な複数のインタフェースを有する電子機器であればカメラに限らない。
【図面の簡単な説明】
【００４１】
【図１】実施形態に係るカメラのシステム構成図である。
【図２】実施形態に係るカメラの通常動作を示す動作フロー図である。
【図３】実施形態に係るカメラの動作モード設定及び記録先変更処理を示す動作フロー図である。
【図４】実施形態に係るカメラの動作モード復旧処理を示す動作フロー図である。
【符号の説明】
【００４２】
１…カメラ、２…撮影レンズ、４…ＣＣＤ、６…ＣＣＤドライバ、８…プリプロセス回路、１０…Ａ／Ｄ変換回路、１２…ＡＳＩＣ、１６…カラーモニタ、１８…操作部、２０…カードＩ／Ｆ、２０ａ…カードＡＩ／Ｆ、２０ｂ…カードＢＩ／Ｆ、２２ａ…カードＡ、２２ｂ…カードＢ、２４…温度センサ、２６…ＣＰＵ
【図１】
2010146057.tif 000003
【図２】
2010146057.tif 000004
【図３】
2010146057.tif 000005
【図４】
2010146057.tif 000006